(57)【要約】【課題】  臨場感のある音を再生すること。【解決手段】  再生システムは、複数の携帯電話機からなり、複数の携帯電話機それぞれは、５．１チャンネルの音声データを再生するためのＡＶデコーダと、現在位置を検出するＧＰＳセンサと、複数の携帯電話機のうち他の携帯電話機と通信するための無線ＬＡＮ回路と、を備え、複数の携帯電話機のうち１の親機は、複数の携帯電話機それぞれの位置を取得する位置取得手段（Ｓ０３，Ｓ０５）と、複数の携帯電話機それぞれの位置に基づいて、複数の携帯電話機それぞれに複数チャンネルのうちの１以上のチャンネルを割り当てる割当手段（Ｓ０８）と、複数の携帯電話機それぞれに割り当てられた１以上のチャンネルの音声データを再生させる再生指示手段（Ｓ０９，Ｓ１０）と、を備える。【選択図】        図３
2009135750.tif 000002
【特許請求の範囲】
【請求項１】
複数の再生装置からなる再生システムであって、
前記複数の再生装置それぞれは、複数チャンネルの音声データを再生するための再生手段と、
現在位置を検出する位置検出手段と、
前記複数の再生装置のうち他の再生装置と通信するための通信手段と、を備え、
前記複数の再生装置のうち少なくとも１つの再生装置は、前記複数の再生装置それぞれの位置を取得する位置取得手段と、
前記複数の再生装置それぞれの位置に基づいて、前記複数の再生装置それぞれに前記複数チャンネルのうちの１以上のチャンネルを割り当てる割当手段と、
前記複数の再生装置それぞれに前記割り当てられた前記１以上のチャンネルの音声データを再生させる再生指示手段と、を備えた再生システム。
【請求項２】
前記少なくとも１つの再生装置は、前記複数の再生装置の位置に基づいて、前記複数の再生装置それぞれに割り当てられた１以上のチャンネルの音声データそれぞれを再生する音量を決定する音量決定手段をさらに備え、
前記再生指示手段は、前記複数の再生装置それぞれに割り当てられた前記１以上のチャンネルを前記決定された音量で再生させる、請求項１に記載の再生システム。
【請求項３】
前記複数の再生装置の１つの親装置は、前記位置取得手段と、前記割当手段と、前記再生指示手段とを備え、
前記再生指示手段は、前記複数の再生装置のうち前記親装置以外の１以上の子装置それぞれに、該子装置に割り当てられた前記１以上のチャンネルを再生させるための再生指示を送信する再生指示送信手段を含み、
前記１以上の子装置それぞれの前記再生手段は、前記親装置から受信される前記再生指示に従って、前記複数チャンネルの音声データのうち前記１以上のチャンネルの音声データを再生する、請求項１に記載の再生システム。
【請求項４】
前記複数の再生装置の１つの親装置は、前記位置取得手段と、前記割当手段と、前記再生指示手段とを備え、
前記親装置は、さらに、参加要求を送信する参加要求送信手段と、
前記参加要求の送信に応じて参加することを示す１以上の参加応答を受信することを条件に、前記受信された１以上の参加応答をそれぞれ送信してきた１以上の再生装置を前記１以上の子装置として含む前記複数の再生装置を決定するシステム構成手段と、を備え、
前記複数の再生装置のうち前記親装置以外の１以上の子装置それぞれは、さらに、
前記親装置から参加要求を受信することに応じて、前記参加応答を送信するか否かをユーザに問合せる問合手段と、
前記参加応答を送信するか否かを示すユーザによる操作を受け付ける操作受付手段と、
前記操作受付手段により前記参加応答を送信することを示す操作が受け付けられることを条件に、前記位置検出手段により検出された現在位置を示す位置情報を含む前記参加応答を前記親装置に送信する参加応答送信手段と、を備える請求項１に記載の再生システム。
【請求項５】
複数チャンネルの音声データを再生可能な複数の再生装置それぞれの位置を取得する位置取得手段と、
前記複数の再生装置それぞれの位置に基づいて、前記複数の再生装置それぞれに前記複数チャンネルのうちの１以上のチャンネルを割り当てる割当手段と、
前記複数の再生装置それぞれに前記割り当てられた前記１以上のチャンネルを再生させる再生指示手段と、を備えた再生制御装置。
【請求項６】
複数チャンネルの音声データを再生可能な複数の再生装置それぞれの位置を取得するステップと、
前記複数の再生装置それぞれの位置に基づいて、前記複数の再生装置それぞれに前記複数チャンネルのうちの１以上のチャンネルを割り当てるステップと、
前記複数の再生装置それぞれに前記割り当てられた前記１以上のチャンネルを再生させるステップと、を含む再生制御方法。
【請求項７】
複数チャンネルの音声データを再生可能な複数の再生装置それぞれの位置を取得するステップと、
前記複数の再生装置それぞれの位置に基づいて、前記複数の再生装置それぞれに前記複数チャンネルのうちの１以上のチャンネルを割り当てるステップと、
前記複数の再生装置それぞれに前記割り当てられた前記１以上のチャンネルを再生させるステップと、をコンピュータに実行させる再生制御プログラム。
【発明の詳細な説明】
【技術分野】
【０００１】
この発明は、再生システム、再生制御装置、再生制御方法および再生制御プログラムに関し、特にマルチチャンネルの音声を再生するための再生システム、再生制御装置、その再生制御装置により実行される再生制御方法および再生制御プログラムに関する。
【背景技術】
【０００２】
近年、５．１チャンネル等のマルチチャンネルのデジタル音声が放送される場合がある。この５．１チャンネルのデジタル音声を再生するサラウンドシステムが、特開２００７−４３３２０号公報（特許文献１）に記載されている。従来のサラウンドシステムは、オーディオ信号再生装置より出力された各チャンネルのオーディオ信号を配置されたスピーカから各々再生することによりサラウンド音場を形成するサラウンドシステムであり、リスニングポイントから各スピーカまでの距離を測定し、その距離データをオーディオ信号再生装置に伝送するカメラのオートフォーカス機能とＵＳＢ接続を利用した測距装置と、伝送された距離データを取得し比較することにより、各チャンネルのオーディオ信号の音量調整データとディレイ時間設定データとを生成し、この音量調整データとディレイ時間設定データに応じてオーディオ信号に対する音量とディレイ時間を制御するオーディオ信号再生装置と、を備える。このように、５．１チャンネルのデジタル音声を臨場感のある音で再生するためには、異なる位置に配置された６つのスピーカが必要となる。
【０００３】
一方、携帯電話機は、５．１チャンネルのデジタル音声放送を受信可能であるが、音声を再生するためのスピーカを多くても２つしか備えていない。このため、最大で２チャンネルの音声しか出力できず、臨場感のある音を再生することができないといった問題がある。
【特許文献１】特開２００７−４３３２０号公報
【発明の開示】
【発明が解決しようとする課題】
【０００４】
この発明は上述した問題点を解決するためになされたもので、この発明の目的の一つは、臨場感のある音を再生することが可能な再生システムを提供することである。
【０００５】
この発明の他の目的は、臨場感のある音を再生することが可能な再生制御装置を提供することである。
【０００６】
この発明のさらに他の目的は、臨場感のある音を再生することが可能な再生制御方法を提供することである。
【０００７】
この発明のさらに他の目的は、臨場感のある音を再生することが可能な再生制御プログラムを提供することである。
【課題を解決するための手段】
【０００８】
この発明は上述した目的を達成するためになされたもので、この発明のある局面によれば、再生システムは、複数の再生装置からなる再生システムであって、複数の再生装置それぞれは、複数チャンネルの音声データを再生するための再生手段と、現在位置を検出する位置検出手段と、複数の再生装置のうち他の再生装置と通信するための通信手段と、を備え、複数の再生装置のうち少なくとも１つの再生装置は、複数の再生装置それぞれの位置を取得する位置取得手段と、複数の再生装置それぞれの位置に基づいて、複数の再生装置それぞれに複数チャンネルのうちの１以上のチャンネルを割り当てる割当手段と、複数の再生装置それぞれに割り当てられた１以上のチャンネルの音声データを再生させる再生指示手段と、を備える。
【０００９】
この局面に従えば、複数の再生装置のうち少なくとも１つの再生装置において、複数の再生装置それぞれの位置が取得され、複数の再生装置それぞれの位置に基づいて、複数の再生装置それぞれに複数チャンネルのうちの１以上のチャンネルが割り当てられ、複数の再生装置それぞれにおいて割り当てられた１以上のチャンネルの音声データが再生される。このため、複数の再生装置が一度に複数のチャンネルを再生することができない場合であっても、複数の再生装置で異なるチャンネルを分担して再生するので、複数のチャンネルを複数の再生装置で再生することができる。その結果、臨場感のある音を再生することが可能な再生システムを提供することができる。
【００１０】
好ましくは、少なくとも１つの再生装置は、複数の再生装置の位置に基づいて、複数の再生装置それぞれに割り当てられた１以上のチャンネルの音声データそれぞれを再生する音量を決定する音量決定手段をさらに備え、再生指示手段は、複数の再生装置それぞれに割り当てられた１以上のチャンネルを決定された音量で再生させる。
【００１１】
この局面に従えば、複数の再生装置の位置に基づいて、複数の再生装置それぞれに割り当てられた１以上のチャンネルの音声データそれぞれを再生する音量が決定され、決定された音量でチャンネルの音声データが再生される。このため、複数のチャンネルの音をバランスよく再生することができる。
【００１２】
好ましくは、複数の再生装置の１つの親装置は、位置取得手段と、割当手段と、再生指示手段とを備え、再生指示手段は、複数の再生装置のうち親装置以外の１以上の子装置それぞれに、該子装置に割り当てられた１以上のチャンネルを再生させるための再生指示を送信する再生指示送信手段を含み、１以上の子装置それぞれの再生手段は、親装置から受信される再生指示に従って、複数チャンネルの音声データのうち１以上のチャンネルの音声データを再生する。
【００１３】
好ましくは、複数の再生装置の１つの親装置は、位置取得手段と、割当手段と、再生指示手段とを備え、親装置は、さらに、参加要求を送信する参加要求送信手段と、参加要求の送信に応じて参加することを示す１以上の参加応答を受信することを条件に、受信された１以上の参加応答をそれぞれ送信してきた１以上の再生装置を１以上の子装置として含む複数の再生装置を決定するシステム構成手段と、を備え、複数の再生装置のうち親装置以外の１以上の子装置それぞれは、さらに、親装置から参加要求を受信することに応じて、参加応答を送信するか否かをユーザに問合せる問合手段と、参加応答を送信するか否かを示すユーザによる操作を受け付ける操作受付手段と、操作受付手段により参加応答を送信することを示す操作が受け付けられることを条件に、位置検出手段により検出された現在位置を示す位置情報を含む参加応答を親装置に送信する参加応答送信手段と、を備える。
【００１４】
この局面に従えば、１以上の子装置それぞれは、親装置から参加要求を受信することに応じて、参加応答を送信するか否かをユーザに問合せ、参加応答を送信することを示す操作がユーザにより指示され、受け付けられることを条件に、参加応答を親装置に返信する。このため、ユーザにより音声データを再生するか否かが決定される。その結果、ユーザの意に反して音声が再生されるのを防止することができる。
【００１５】
この発明の他の局面に従えば、再生制御装置は、複数チャンネルの音声データを再生可能な複数の再生装置それぞれの位置を取得する位置取得手段と、複数の再生装置それぞれの位置に基づいて、複数の再生装置それぞれに複数チャンネルのうちの１以上のチャンネルを割り当てる割当手段と、複数の再生装置それぞれに割り当てられた１以上のチャンネルの音声データを再生させる再生指示手段と、を備える。
【００１６】
この局面に従えば、複数の再生装置に異なるチャンネルを分担して再生させるので、複数のチャンネルを複数の再生装置で再生させることできる。その結果、臨場感のある音を再生することが可能な再生制御装置を提供することができる。
【００１７】
この発明のさらに他の局面に従えば、再生制御方法は、複数チャンネルの音声データを再生可能な複数の再生装置それぞれの位置を取得するステップと、複数の再生装置それぞれの位置に基づいて、複数の再生装置それぞれに複数チャンネルのうちの１以上のチャンネルを割り当てるステップと、複数の再生装置それぞれに割り当てられた１以上のチャンネルを再生させるステップと、を含む。
【００１８】
この局面に従えば、臨場感のある音を再生することが可能な再生制御方法を提供することができる。
【００１９】
この発明のさらに他の局面によれば、再生制御プログラムは、複数チャンネルの音声データを再生可能な複数の再生装置それぞれの位置を取得するステップと、複数の再生装置それぞれの位置に基づいて、複数の再生装置それぞれに複数チャンネルのうちの１以上のチャンネルを割り当てるステップと、複数の再生装置それぞれに割り当てられた１以上のチャンネルを再生させるステップと、をコンピュータに実行させる。
【００２０】
この局面に従えば、臨場感のある音を再生することが可能な再生制御プログラムを提供することができる。
【発明を実施するための最良の形態】
【００２１】
以下、本発明の実施の形態について図面を参照して説明する。以下の説明では同一の部品には同一の符号を付してある。それらの名称および機能も同じである。したがってそれらについての詳細な説明は繰返さない。
【００２２】
図１は、本発明の実施の形態の１つにおける再生システムの全体概要を示す図である。図１を参照して、再生システム１００は、再生装置として５台の携帯電話機１，１Ａ，１Ｂ，１Ｃ，１Ｄを含む。携帯電話機１，１Ａ，１Ｂ，１Ｃ，１Ｄそれぞれは、マルチチャンネルのラジオ放送を受信し、マルチチャンネルの少なくとも１つのチャンネルを選択して再生することが可能である。さらに、携帯電話機１，１Ａ，１Ｂ，１Ｃ，１Ｄそれぞれは、他の携帯電話機と通信することが可能である。携帯電話機１，１Ａ，１Ｂ，１Ｃ，１Ｄの機能および構成は、同一なのでここでは、特に言及しない限り携帯電話機１を例に説明する。
【００２３】
図２は、携帯電話機の機能の一例を示す機能ブロック図である。図２を参照して、携帯電話機１は、携帯電話機１の全体を制御するための制御部２１と、アンテナ２２Ａと接続された無線回路２２と、アンテナ２３Ａと接続された無線ＬＡＮ回路２３と、音声データを処理するためのコーデック部２８と、それぞれがコーデック部２８に接続されたマイクロフォン１３および第１スピーカ１１と、アンテナ２４Ａに接続されたチューナ２４と、ＡＶデコーダ２９と、ユーザの操作の入力を受付ける操作部２５と、ＧＰＳセンサ２６と、カードインターフェース（Ｉ／Ｆ）２７と、液晶表示装置（ＬＣＤ）１６の表示を制御するための表示制御部３０と、制御部２１で実行するプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、データを不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３と、を含む。
【００２４】
無線回路２２は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の通信方式のネットワークに接続する。具体的には、無線回路２２は、Ｗ−ＣＤＭＡのネットワークに接続された基地局装置と無線通信する。基地局装置が送信する無線信号は、アンテナ２２Ａにより受信される。無線回路２２は、アンテナ２２Ａにより受信された無線信号が入力され、無線信号を復調した信号を制御部２１に出力する。無線信号を復調した信号が音声信号の場合、制御部２１は、音声信号をコーデック部２８に出力する。
【００２５】
無線回路２２は、制御部２１から信号が入力されると、その信号を変調した無線信号をアンテナ２２Ａに出力する。制御部２１は、コーデック部２８から音声信号が入力されると、音声信号を第１の無線回路２２に出力する。アンテナ２２Ａから送信される無線信号は、Ｗ−ＣＤＭＡの基地局装置で受信され、Ｗ−ＣＤＭＡの基地局装置に入力される。
【００２６】
なお、ここでは無線回路２２がＷ−ＣＤＭＡのネットワークに接続する例を示すが、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ
）方式、ＣＤＭＡ（Ｃｏｄｅ  Ｄｉｖｉｓｉｏｎ  Ｍｕｌｔｉｐｌｅ  Ａｃｃｅｓｓ）方式のネットワーク、ＰＨＳ（Ｐｅｒｓｏｎａｌ  Ｈａｎｄｙｐｈｏｎｅ  Ｓｙｓｔｅｍ）のネットワークであってもよい。
【００２７】
無線ＬＡＮ回路２３は、通信手段の一例であり、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）の通信方式のネットワークに接続する。ＷｉＭＡＸの通信方式は、Ｗｉｒｅｌｅｓｓ  ＭＡＮ（Ｗｉｒｅｌｅｓｓ  Ｍｅｔｒｏｐｏｌｉｔａｎ  Ａｒｅａ  Ｎｅｔｗｏｒｋ）とも呼ばれ、ＩＥＥＥ８０２．１６という都市規模のエリアを対象として高速無線通信を提供する規格である。無線ＬＡＮ回路２３は、具体的には、ＷｉＭＡＸのネットワークに接続された別の携帯電話機１Ａ，１Ｂ，１Ｃ，１Ｄまたはアクセスポイントと無線通信する。携帯電話機１Ａ，１Ｂ，１Ｃ，１Ｄまたはアクセスポイントが送信する無線信号は、アンテナ２３Ａにより受信される。無線ＬＡＮ回路２３は、アンテナ２３Ａにより受信された無線信号が入力され、無線信号を復調した信号を制御部２１に出力する。
【００２８】
無線ＬＡＮ回路２３は、制御部２１から送信の信号が入力されると、その信号を変調した無線信号をアンテナ２３Ａに出力する。アンテナ２３Ａから送信される無線信号は、携帯電話機１Ａ，１Ｂ，１Ｃ，１Ｄまたはアクセスポイントで受信される。
【００２９】
なお、ここでは無線ＬＡＮ回路２３がＷｉＭＡＸのネットワークに接続する例を示すが、無線ＬＡＮであれば、ＷｉＭＡＸのネットワークに限定されるものではなく、例えば、ＢＬＵＥＴＯＯＴＨ（登録商標）、ＷｉＦｉ（登録商標）等のネットワークであってもよい。
【００３０】
コーデック部２８は、制御部２１から入力される音声信号を復号し、復号したデジタルの音声信号をアナログに変換し、増幅し、そしてレシーバとしての第１スピーカ１１に出力する。また、コーデック部２８は、マイクロフォン１３からアナログの音声信号が入力され、音声信号をデジタルに変換し、符号化し、そして符号化した音声信号を制御部２１に出力する。
【００３１】
チューナ２４は、アンテナ２４Ａに接続されており、アンテナ２４Ａにより受信されたデジタル音声の放送信号が入力される。放送信号は、高周波デジタル変調信号であり、ラジオ放送の場合は音声データを含み、テレビ放送の場合は映像データおよび音声データを含む。チューナ２４は、アンテナ２４Ａから入力される高周波デジタル変調信号から特定の周波数の信号を取り出す。また、チューナ２４は、逆インターリーブ回路、誤り訂正回路を備えており、取り出した特定の周波数の高周波デジタル変調信号を復調して可変長符号をＡＶデコーダ２９に出力する。
【００３２】
ＡＶデコーダ２９は、再生手段の一例であり、ビデオデコーダおよびオーディオデコーダを備えており、チューナ２４から入力された可変長符号を復号して映像信号および音声信号を生成し、映像信号をＤ／Ａ（デジタル／アナログ）変換して表示制御部３０に出力し、音声信号をＤ／Ａ変換して第２スピーカ１２に与える。以下の説明では、５．１チャンネルの音声信号を含むデジタル音声放送の放送電波を受信して再生する例を示す。なお、ここではデジタルの音声信号を受信する例を示すが、アナログの音声信号を受信して再生するようにしてもよい。
【００３３】
また、ＡＶデコーダ２９は、音声信号が５．１チャンネルの場合、制御部２１により制御され、５．１チャンネルのうちから１つを選択し、選択されたチャンネルの音声信号をＤ／Ａ変換し、増幅し、第２スピーカ１２に与える。携帯電話機１が第２スピーカ１２を２つ備える場合、ＡＶデコーダ２９は、５．１チャンネルのうちから２つを選択し、選択された２つのチャンネルの音声信号をＤ／Ａ変換し、増幅し、２つの第２スピーカ１２にそれぞれ与える。
【００３４】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００３５】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１で実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１で実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２または無線ＬＡＮ回路２３を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム形式のプログラム、圧縮処理されたプログラム、暗号化されたプログラム等を含む。
【００３６】
ＧＰＳセンサ２６は、位置検出手段の一例であり、全地球測位システム（ＧＰＳ）におけるＧＰＳ衛星からの電波を受信し、現在の地図上の位置を計測する。ＧＰＳセンサ２６は、計測して得た地図上の位置を示す位置情報を制御部２１に出力する。
【００３７】
操作部２５は、操作キー１４と、ランプ２５Ａとを含む。操作キー１４は、ユーザによる操作の入力を受け付け、受付けた操作を制御部２１に出力する。ランプ２５Ａは、制御部２１により制御されて発光する。これにより、ユーザは、暗い場所でも操作キー１４を確認することができる。
【００３８】
制御部２１は、操作キー１４から操作が入力されると、入力された操作に応じて処理を実行する。制御部２１は、ＲＯＭ３１に記憶されている複数のアプリケーションプログラムを読出して実行する。アプリケーションプログラムには、後述する再生プログラム、携帯電話機１をラジオとして機能させるためのアプリケーションプログラムを含む。これらのアプリケーションプログラムは、Ｃ言語やＪＡＶＡ（登録商標）などのプログラム言語で記述されるが、アプリケーションプログラムが記述されるプログラム言語は、これらに限定されることなく、他のいかなるプログラム言語で記述されてもよい。また、複数のアプリケーションプログラムがＲＯＭ３１に記憶されて携帯電話機１に搭載されるが、複数のアプリケーションプログラムは、単一のプログラム言語で記述されたものであってもよいし、異なるプログラム言語で記述されたものであってもよい。すなわち、複数のプログラム言語で記述されたアプリケーションプログラムが混在してもよい。
【００３９】
制御部２１は、複数のアプリケーションプログラムを同時に実行することが可能である。ここでは、携帯電話機１をラジオとして機能させるためのアプリケーションプログラムと、複数の携帯電話機で分担してラジオ放送を再生させるためのアプリケーションプログラム（以下、「再生プログラム」という）と、を同時に実行する場合を例に説明する。
【００４０】
本実施の形態における再生システム１００においては、ラジオ放送のマルチチャンネルの少なくとも１つを携帯電話機１，１Ａ，１Ｂ，１Ｃ，１Ｄそれぞれに割り当て、携帯電話機１，１Ａ，１Ｂ，１Ｃ，１Ｄの全体でマルチチャンネルのラジオ放送を再生する。このために携帯電話機１，１Ａ，１Ｂ，１Ｃ，１Ｄのいずれか１つが親機（親装置）に設定され、他の携帯電話機が子機（子装置）に設定される。ここでは、携帯電話機１が親機に設定され、他の携帯電話機１Ａ，１Ｂ，１Ｃ，１Ｄが子機に設定される場合を例に説明する。親機に設定された携帯電話機１は、子機に設定された携帯電話機１Ａ，１Ｂ，１Ｃ，１Ｄそれぞれからそれらの地図上の位置を示す位置情報を取得し、取得した子機の位置情報と親機である携帯電話機１の位置情報とから携帯電話機１，１Ａ，１Ｂ，１Ｃ，１Ｄの位置関係を示す配置マップを生成する。携帯電話機１は、生成した配置マップに基づいて、携帯電話機１，１Ａ，１Ｂ，１Ｃ，１Ｄそれぞれに５．１チャンネルのいずれを割り当てるか決定し、携帯電話機１，１Ａ，１Ｂ，１Ｃ，１Ｄそれぞれに割り当てられたチャンネルの音を再生させる。
【００４１】
図３は、チャンネル割当処理の流れの一例を示すフローチャートである。チャンネル割当処理は、親機である携帯電話機１の制御部２１が再生プログラムおよび携帯電話機１をラジオとして機能させるためのアプリケーションプログラムを実行することにより制御部２１により実行される処理である。
【００４２】
図３を参照して、制御部２１は、サウンドグループ再生指示を受け付けたか否かを判断する（ステップＳ０１）。ユーザが、操作部２５が有する操作キー１４のうちサウンドグループ再生指示を指示するために予め割り当てられたキーを指示すれば、サウンドグループ再生指示を受け付ける。そして、無線ＬＡＮ回路２３を介してブロードキャストで参加要求を送信する（ステップＳ０２）。制御部２１がステップＳ０２を実行することにより、参加要求送信手段が構成される。参加要求は、複数の携帯電話機でマルチチャンネルの音声を、チャンネルを分担して再生するサウンドグループへの参加を要求するための信号である。無線ＬＡＮ回路２３が送信する電波の伝播距離が限られていれば、携帯電話機から伝播距離の範囲内に位置する携帯電話機１Ａ，１Ｂ，１Ｃ，１Ｄが参加要求を受信する。ここでは、携帯電話機１Ａ，１Ｂ，１Ｃ，１Ｄが参加要求を受信した場合を例に説明する。
【００４３】
そして、所定時間内に参加要求を受信した携帯電話機１Ａ，１Ｂ，１Ｃ，１Ｄから参加応答を受信したか否かを判断する（ステップＳ０３）。参加応答は、参加要求に対する応答であり、マルチチャンネルの音声を再生するサウンドグループに参加することを示す信号である。また、参加応答は、その参加応答を送信してきた携帯電話機の現在の地図上の位置を示す位置情報を含む。さらに、参加応答は、参加応答を送信してきた携帯電話機の装置情報を含む。装置情報は、スピーカ数、スピーカの性能情報（ｄｂ）、スピーカがステレオかモノラルかを示すスピーカ構成、指向性調整可否等の情報を含む。
【００４４】
ステップＳ０３においては、所定時間が経過するまで参加要求の受信を継続し、所定時間内に１以上の参加要求を受信したならば処理をステップＳ０４に進め、所定時間内に参加要求を１つも受信しない場合には、処理をステップＳ１８に進める。ステップＳ１８においては、マルチチャンネルの音声をサウンドグループで再生できないことを示すエラーメッセージをＬＣＤ１６に表示し、処理を終了する。参加応答が１つもなければ、複数台でサウンドグループを構成することができないからである。
【００４５】
ステップＳ０４においては、参加応答を送信してきた装置を子機に設定する。制御部２１がステップＳ０４を実行することにより、サウンドグループを構成する親機と子機とを決定するシステム構成手段が構成される。具体的には、参加応答とともに装置を識別するための装置識別情報を受信するので、その装置識別情報をＥＥＰＲＯＭ３３に記憶する。装置識別情報は、例えば、ＩＰ（Ｉｎｔｅｒｎｅｔ  Ｐｒｏｔｏｃｏｌ）アドレスを用いることができる。ここでは、携帯電話機１Ａ，１Ｂ，１Ｃ，１Ｄのすべてから参加応答を受信した場合を例に説明する。
【００４６】
次のステップＳ０５においては、現在の地図上の位置を示す位置情報を取得する。ＧＰＳセンサ２６が出力する位置情報を取得する。ステップＳ０３において参加応答が受信される参加応答は子機の位置情報を含むため、ステップＳ０３において参加応答が受信され、ステップＳ０５において自機の位置情報が取得されると、親機および参加応答を送信してきた子機の位置情報が取得される。したがって、制御部２１がステップＳ０３とステップＳ０５が実行することにより位置取得手段が構成される。次のステップＳ０６においては、子機の位置情報と、親機の位置情報とに基づいて、配置マップを生成する。配置マップは、サウンドグループを構成する携帯電話機１，１Ａ，１Ｂ，１Ｃ，１Ｄの相対的な位置を示す図である。
【００４７】
図４は、配置マップの一例を示す図である。図４を参照して、配置マップは、携帯電話機１，１Ａ，１Ｂ，１Ｃ，１Ｄそれぞれの位置を示す印と、各位置を結んだ線分とを含む。
【００４８】
図３に戻って、ステップＳ０７においては、生成された配置マップに従って、５．１チャンネルを、子機と自装置とにそれぞれ割り当てる。制御部２１がステップＳ０７を実行することにより割当手段が構成される。具体的には、図４に示した配置マップを用いて説明すると、まず、携帯電話機１，１Ａ，１Ｂ，１Ｃ，１Ｄの隣接する２つを線で結んだ線分で形成される形状を分析する。形状の長手方向を左右方向、それに直交する方向を前後方向に決定する。また、形状の長手方向の線分のうち最も長い線分側を前方向とする。より具体的には、配置マップにおいて携帯電話機１と携帯電話機１Ａを結ぶ線分と、携帯電話機１と携帯電話機１Ｃとを結ぶ線分と、携帯電話機１Ｂと携帯電話機１Ｄとを結ぶ線分とを左右方向の線分と判断し、携帯電話機１Ａと携帯電話機１Ｂとを結ぶ線分と、携帯電話機１Ｃと携帯電話機１Ｄとを結ぶ線分とを前後方向の線分と判断する。さらに、長手方向の３本の線分のうち最も長い携帯電話機１Ｂと携帯電話機１Ｄとを結ぶ線分を前方向と判断し、他の携帯電話機１と携帯電話機１Ａを結ぶ線分と、携帯電話機１と携帯電話機１Ｃとを結ぶ線分とを後方向と判断する。
【００４９】
５．１チャンネルは、視聴者から見て中央の音を示す中央チャンネル、前方かつ左の音を示す前左チャンネル、前方かつ右の音を示す前右チャンネル、後方かつ左の音を示す後左チャンネル、後方かつ右の音を示す後右チャンネル、およびサブウーファーの音を示すサブウーファチャンネルを含む。
【００５０】
このため、配置マップで携帯電話機１，１Ａ，１Ｂ，１Ｃ，１Ｄの中央に位置する携帯電話機１に中央チャンネルを割り当て、携帯電話機１Ａに後左チャンネルを割り当て、携帯電話機１Ｂに前左チャンネルを割り当て、携帯電話機１Ｃに後右チャンネルを割り当て、携帯電話機１Ｄに前右チャンネルを割り当てる。図４に示す配置マップにおいては、サブウーファチャンネルは、携帯電話機１，１Ａ，１Ｂ，１Ｃ，１Ｄいずれにも割り当てない。なお、携帯電話機１，１Ａ，１Ｂ，１Ｃ，１Ｄのうちにステレオで再生する機能を有するものがあれば、その携帯電話機が２つのチャンネルを再生するようにすることができる。例えば、携帯電話機１がステレオで再生する機能を有すれば、携帯電話機１に中央チャンネルと、サブウーファチャンネルとが割り当てられる。
【００５１】
親機が５．１チャンネルを割り当てる割当パターンは、再生システム１００を構成する携帯電話機の台数、および携帯電話機が有する機能に基づき定まる。
【００５２】
図５は、チャンネル割当パターンの一例を示す図である。図５を参照して、第１行目〜第５行目は、サウンドグループがモノラルの音声を再生する機能を有する携帯電話機で構成される場合における割当バターンを示している。第１行目は、サウンドグループが６台の携帯電話機で構成される場合における割当バターンを示し、６台の携帯電話機に中央チャンネル、前左チャンネル、前右チャンネル、後左チャンネル、後右チャンネルおよびサブウーファチャンネルがそれぞれ割り当てられる。第２行目は、サウンドグループが５台の携帯電話機で構成される場合における割当バターンを示し、５台の携帯電話機に中央チャンネル、前左チャンネル、前右チャンネル、後左チャンネルおよび後右チャンネルがそれぞれ割り当てられる。
【００５３】
第３行目は、サウンドグループが４台の携帯電話機で構成される場合における割当バターンを示し、４台の携帯電話機に前左チャンネル、前右チャンネル、後左チャンネルおよび後右チャンネルがそれぞれ割り当てられる。第４行目は、サウンドグループが３台の携帯電話機で構成される場合における割当バターンを示し、３台の携帯電話機に中央チャンネル、前左チャンネルおよび前右チャンネルがそれぞれ割り当てられる。第５行目は、サウンドグループが２台の携帯電話機で構成される場合における割当バターンを示し、２台の携帯電話機に前左チャンネルおよび前右チャンネルがそれぞれ割り当てられる。
【００５４】
第６行目および第７行目は、サウンドグループがステレオの音声を再生する機能を有する携帯電話機で構成される場合における割当バターンを示している。第６行目は、サウンドグループが２台の携帯電話機で構成される場合における割当バターンを示し、前左チャンネル、前右チャンネル、後左チャンネルおよび後右チャンネルのうちから選ばれた２つが１つの携帯電話機に割り当てられ、残りの２つが他の携帯電話機に割り当てられる。第７行目は、サウンドグループが３台の携帯電話機で構成される場合における割当バターンを示し、中央チャンネル、前左チャンネル、前右チャンネル、後左チャンネルおよび後右チャンネルのうちから選ばれた２つが１つの携帯電話機に割り当てられ、残りのチャンネルから選ばれた２つが別の携帯電話機に割り当てられ、残りの１チャンネルが残りの携帯電話機に割り当てられる。
る。
【００５５】
図３に戻って、ステップＳ０８においては、ステップＳ０７において割り当てられたチャンネルごとにボリュームを決定する。制御部がステップＳ０７を実行することにより音量決定手段が構成される。ボリュームは、配置マップに含まれる携帯電話機１，１Ａ，１Ｂ，１Ｃ，１Ｄそれぞれの位置に基づき決定される。配置マップにおいて、視聴者の位置を前方の中央に設定し、その視聴者の位置で音のバランスが取れるように、各チャンネルの音を再生するボリュームを決定する。この場合、参加応答とともに受信される装置情報に含まれる携帯電話機が備えるスピーカの性能情報に基づいてボリュームを決定する。これにより、携帯電話機１，１Ａ，１Ｂ，１Ｃ，１Ｄ間でスピーカの性能が違うことにより、携帯電話機１，１Ａ，１Ｂ，１Ｃ，１Ｄで再生される音がばらつくのを防止することができ、バランスの取れた音を複数の携帯電話機１，１Ａ，１Ｂ，１Ｃ，１Ｄで再生することができる。なお、音量に加えて遅延時間を設定するようにしてもよい。
【００５６】
次のステップＳ０９においては、子機に再生指示を送信する。制御部２１がステップＳ９を実行することにより再生指示手段に含まれる再生指示送信手段が構成される。再生指示は、子機により異なり、ステップＳ０７において子機に割り当てられたチャンネルと、ステップＳ０８においてチャンネルに対応して決定されたボリュームとを含む。具体的には、携帯電話機１Ａに送信する再生指示は、後左チャンネルを所定のボリュームで再生する指示であり、携帯電話機１Ｂに送信する再生指示は、前左チャンネルを所定のボリュームで再生する指示であり、携帯電話機１Ｃに送信する再生指示は、後右チャンネルを所定のボリュームで再生する指示であり、携帯電話機１Ｄに送信する再生指示は、前右チャンネルを所定のボリュームで再生する指示である。
【００５７】
そして、自装置に対する再生指示に従ってラジオ放送の音を再生する（ステップＳ１０）。制御部２１がステップＳ１０を実行することにより再生指示手段が構成される。具体的には、ＡＶデコーダ２９に、チューナ２４から入力される５．１チャンネルの音声信号のうちで再生指示に含まれるチャンネルの音声信号をＤ／Ａ変換させ、再生指示に含まれる音量に増幅させる。ここでは、ＡＢデコーダ２９に中央チャンネルを所定のボリュームで再生させる。これにより、携帯電話機１，１Ａ，１Ｂ，１Ｃ，１Ｄによって、中央チャンネル、後左チャンネル、前左チャンネル、後右チャンネル、前右チャンネルの音がそれぞれ所定のボリュームで再生されるので、視聴者は、バランスのとれた５チャンネルの音を視聴することができる。
【００５８】
ステップＳ１１にいては、サウンドグループに属する子機のいずれかから終了指示を受信したか否かを判断する。終了指示は、子機により送信され、子機がラジオ放送の音の再生を終了し、サウンドグループを抜けることを示す信号である。無線ＬＡＮ回路２３が子機に設定されている携帯電話機１Ａ，１Ｂ，１Ｃ，１Ｄのいずれかから終了指示を受信すると、処理をステップＳ１２に進め、そうでなければ処理をステップＳ１４に進める。
【００５９】
ステップＳ１２においては、子機数Ｎを１減算し、処理をステップＳ１３に進める。ステップＳ１３においては、子機数Ｎが１以上か否かを判断する。子機数が１以上ならば処理をステップＳ０６に戻し、子機数が０ならば処理をステップＳ１８に進める。サウンドグループに属する装置が複数台なければ、複数台でサウンドグループを構成することができないからである。例えば、携帯電話機１Ａが終了指示を送信した場合、処理はステップＳ０６に戻り、サウンドグループに残された携帯電話機１，１Ｂ，１Ｃ，１Ｄの４台でサウンドグループが構成され、新たなサウンドグループについて、サウンドグループに含まれる携帯電話機１，１Ｂ，１Ｃ，１Ｄそれぞれにチャンネルが割り当てられ（ステップＳ０８）、チャンネルごとのボリュームが決定され（ステップＳ０９）、再生指示に従って携帯電話機１，１Ｂ，１Ｃ，１Ｄそれぞれにおいて各々に割り当てられたチャンネルの音が再生される。このため、サウンドグループを構成する子機のいずれかがチャンネルの音を再生するのを中止した場合であっても、サウンドグループを構成する残りの親機と子機とで、５．１チャンネルのうち２以上のチャンネルの音を再生することができる。
【００６０】
ステップＳ１４においては、終了指示を受け付けたか否かを判断する。ユーザが、操作部２５が有する操作キー１４のうち終了を指示するために予め割り当てられたキーを指示すれば、終了指示を受け付ける。また、内蔵バッテリの電圧が低下した場合、内蔵バッテリの電圧を検出する検出センサから終了指示を受け付ける。終了指示を受け付けたならば処理をステップＳ１５に進め、そうでなければ処理をステップＳ１１に戻す。ステップＳ１５においては、サウンドグループに属する子機のうちから１つの親機を決定する。親機は、複数の子機のうちから任意に選択することが可能である。
【００６１】
ステップＳ１６においては、ステップＳ１５において親機に決定した装置に親機転換指示と配置マップとを送信し、処理をステップＳ１７に進める。ステップＳ１７においては、ラジオ放送の再生を終了し、処理を終了する。
【００６２】
図６は、チャンネル再生処理の流れの一例を示すフローチャートである。チャンネル再生処理は、子機である携帯電話機１Ａ，１Ｂ，１Ｃ，１Ｄそれぞれが備える制御部２１が再生プログラムおよびラジオとして機能させるためのアプリケーションプログラムを実行することにより制御部２１により実行される処理である。ここでは、携帯電話機１Ｂがチャンネル再生処理を実行する場合を例に説明する。
【００６３】
図６を参照して、携帯電話機１Ｂの制御部２１は、参加要求を親機である携帯電話機１から受信したか否かを判断する（ステップＳ５１）。無線ＬＡＮ回路２３が携帯電話機１から参加要求を受信するまで待機状態となり（ステップＳ５１でＮＯ）、参加要求を受信したならば、処理をステップＳ５２に進める。すなわち、チャンネル再生処理は、親機から参加要求を受信することを条件に実行される処理である。なお、親機から参加要求を受信することをトリガーとして再生プログラムを実行するようにしてもよい。
【００６４】
ステップＳ５２においては、問合せ画面をＬＣＤ１６に表示し、ユーザにより指示が入力されるまで待機する。制御部２１がステップＳ５２を実行することにより問合手段が構成される。問合せ画面は、ユーザにラジオ放送を再生するサウンドグループに参加するか否かを問合せるための画面であり、例えば、サウンドグループへの参加を要請するためのメッセージとして「この端末でマルチチャンネル音声出力を開始してもよいですか？」を含む。
【００６５】
ステップＳ５３においては、参加指示を受け付けたか否かを判断する。制御部２１がステップＳ５３を実行することにより操作受付手段が構成される。ユーザが、操作部２５が有する操作キー１４のうち参加を指示するために予め割り当てられたキーを指示すれば、参加指示を受け付ける。参加指示を受け付けたならば処理をステップＳ５４に進めるが、そうでなければ処理を終了する。
【００６６】
ステップＳ５４においては、現在の地図上の位置を示す位置情報を取得する。ＧＰＳセンサ２６が出力する位置情報を取得する。次のステップＳ５５においては、参加要求を送信してきた親機である携帯電話機１に無線ＬＡＮ回路２３を介して参加応答を送信する。制御部２１がステップＳ５５を実行することにより参加応答送信手段が構成される。参加応答は、ステップＳ５４において取得された位置情報と、携帯電話機１Ｂの装置情報とを含む。装置情報は、スピーカ数、スピーカの性能情報（ｄｂ）、スピーカがステレオかモノラルかを示すスピーカ構成、指向性調整可否等の情報を含む。
【００６７】
そして、無線ＬＡＮ回路２３が親機である携帯電話機１から再生指示を受信するまで待機状態となり（ステップＳ５６でＮＯ）、再生指示を受信したならば処理をステップＳ５７に進める。次のステップＳ５７においては、受信された再生指示に従って、再生指示に含まれるチャンネルの音声を、再生指示に含まれるボリュームで再生する。具体的には、ＡＶデコーダ２９に、チューナ２４から入力される５．１チャンネルの音声信号のうちで再生指示に含まれるチャンネルの音声信号をＤ／Ａ変換させ、再生指示に含まれる音量に増幅させる。
【００６８】
次のステップＳ５８においては、無線ＬＡＮ回路２３が親機である携帯電話機１から親機転換指示を受信したか否かを判断する。親機転換指示を受信したならば処理をステップＳ５９に進めるが、そうでなければ処理をステップＳ６１に進める。ステップＳ５９においては、親機転換指示と共に受信する配置マップに基づき、新たな配置マップを生成する。配置マップに含まれる親機である携帯電話機１を除いた残りの携帯電話機１Ａ，１Ｂ，１Ｃ，１Ｄを含む配置マップを生成する。
【００６９】
そして、携帯電話機１Ｂを親機として機能させるために、親機処理を実行する（ステップＳ６０）。親機処理は、図３に示したステップＳ０７〜ステップＳ１７に示した処理と同じ処理であり、ここでは説明を繰り返さない。
【００７０】
ステップＳ６１においては、終了指示を受け付けたか否かを判断する。ユーザが、操作部２５が有する操作キー１４のうち終了を指示するために予め割り当てられたキーを指示すれば、終了指示を受け付ける。また、内蔵バッテリの電圧が低下した場合、内蔵バッテリの電圧を検出する検出センサから終了指示を受け付ける。終了指示を受け付けたならば処理をステップＳ６２に進めるが、そうでなければ処理をステップＳ５８に戻す。ステップＳ６２においては、親機に終了指示を送信する。そして、ラジオ放送の再生を終了し（ステップＳ６３）、処理を終了する。
【００７１】
以上説明したように、本実施の形態における再生システム１００は、再生装置として携帯電話機１，１Ａ，１Ｂ，１Ｃ，１Ｄを含む。携帯電話機１，１Ａ，１Ｂ，１Ｃ，１Ｄのうち親端末である携帯電話機１において、携帯電話機１，１Ａ，１Ｂ，１Ｃ，１Ｄそれぞれの位置を示す位置情報が取得され、配置マップが生成される。そして、配置マップに基づいて、携帯電話機１，１Ａ，１Ｂ，１Ｃ，１Ｄそれぞれに５．１チャンネルのうちの１以上のチャンネルが割り当てられ、携帯電話機１，１Ａ，１Ｂ，１Ｃ，１Ｄそれぞれにおいて割り当てられた１以上のチャンネルの音声データが再生される。このため、携帯電話機１，１Ａ，１Ｂ，１Ｃ，１Ｄが一度に複数のチャンネルを再生することができない場合であっても、携帯電話機１，１Ａ，１Ｂ，１Ｃ，１Ｄで異なるチャンネルを分担して再生するので、５．１チャンネルの音を臨場感ある音で携帯電話機１，１Ａ，１Ｂ，１Ｃ，１Ｄで再生することができる。
【００７２】
また、配置マップに基づいて、携帯電話機１，１Ａ，１Ｂ，１Ｃ，１Ｄそれぞれに割り当てられた１以上のチャンネルの音声データそれぞれを再生する音量が決定され、決定された音量でチャンネルの音声データが再生されるので、５．１チャンネルの音をバランスよく再生することができる。
【００７３】
また、子端末である携帯電話機１Ａ，１Ｂ，１Ｃ，１Ｄそれぞれは、親端末である携帯電話機１から参加要求を受信することに応じて、参加応答を送信するか否かをユーザに問合せ、参加応答を送信することを示す操作がユーザにより指示されることを条件に、参加応答を親端末である携帯電話機１に返信する。このため、ユーザによりサウンドグループに参加して音声データを再生するか否かが決定されるので、携帯電話機１Ａ，１Ｂ，１Ｃ，１Ｄそれぞれにおいてユーザの意に反して音声が再生されるのを防止することができる。
【００７４】
なお、上述した実施の形態においては、再生システム１００について説明したが、図３に示したチャンネル割当処理または図６に示したチャンネル再生処理を実行するための再生制御方法またはその方法をコンピュータに実行させるための再生制御プログラムとして発明を捉えることができるのは言うまでもない。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７６】
＜付記＞
（１）  前記複数の再生装置の位置に基づいて、前記複数の再生装置それぞれに割り当てられた１以上のチャンネルの音声データそれぞれを再生する音量を決定する音量決定手段をさらに備え、
前記再生指示手段は、前記複数の再生装置それぞれに割り当てられた前記１以上のチャンネルを前記決定された音量で再生させる、請求項５に記載の再生制御装置。
（２）  前記再生指示手段は、前記複数の再生装置のうち自装置以外の１以上の他の再生装置それぞれに、該他の再生装置に割り当てられた前記１以上のチャンネルを再生させるための再生指示を送信する再生指示送信手段を含む、請求項５に記載の再生制御装置。
（３）  参加要求を送信する参加要求送信手段と、
前記参加要求の送信に応じて参加することを示す１以上の参加応答を受信することを条件に、前記受信された１以上の参加応答をそれぞれ送信してきた１以上の他の再生装置を含む前記複数の再生装置を決定するシステム構成手段を、さらに備えた請求項５に記載の再生制御装置。
【図面の簡単な説明】
【００７７】
【図１】本発明の実施の形態の１つにおける再生システムの全体概要を示す図である。
【図２】携帯電話機の機能の一例を示す機能ブロック図である。
【図３】チャンネル割当処理の流れの一例を示すフローチャートである。
【図４】配置マップの一例を示す図である。
【図５】チャンネル割当パターンの一例を示す図である。
【図６】チャンネル再生処理の流れの一例を示すフローチャートである。
【符号の説明】
【００７８】
１００  再生システム、１，１Ａ，１Ｂ，１Ｃ，１Ｄ  携帯電話機、１１  第１スピーカ、１２  第２スピーカ、１３  マイクロフォン、１４  操作キー、１６  ＬＣＤ１６、２１  制御部、２２  無線回路、２３  無線ＬＡＮ回路、２４  チューナ、２２Ａ，２３Ａ，２４Ａ  アンテナ、２５  操作部、２６  ＧＰＳセンサ、２７  カードＩ／Ｆ、２７Ａ  フラッシュメモリ、２８  コーデック部、２９  ＡＶデコーダ、３０  表示制御部。
【図１】
2009135750.tif 000003
【図２】
2009135750.tif 000004
【図３】
2009135750.tif 000005
【図４】
2009135750.tif 000006
【図５】
2009135750.tif 000007
【図６】
2009135750.tif 000008